(57)【要約】【課題】高い記録品質を確保し、また、経済性及び省資源性を高める。さらに、記録サイズの拡大縮小を容易かつ高い自由度で行えるようにするとともに、各記録ヘッドの取付（調整）を容易に行えるようにする。【解決手段】異なる単色のカラーリボン２ｃ，２ｍ，２ｙを有する複数の記録部Ｃｃ，Ｃｍ，Ｃｙを、副走査方向Ｙの平行方向に並べて配するとともに、各記録部Ｃｃ，Ｃｍ，Ｃｙ相互間の間隔Ｆｓ…を設定し、記録時に、ストライプＳ…を記録する各列Ｌ１，Ｌ２…に対して全ての記録部Ｃｃ，Ｃｍ，Ｃｙにより順次記録を行う。この場合、複数の記録部Ｃｃ，Ｃｍ，Ｃｙは、ｎストライプ（ｎは１以上の整数）Ｓ分の間隔Ｆｓを空けて配列させることができる。【選択図】図１
2004050494.tif 000002
【特許請求の範囲】
【請求項１】
記録用紙を副走査方向へ間欠移送するとともに、カラーリボン及び記録ヘッドを有する記録部を主走査方向へ移動させることにより、順次ストライプの記録を行うカラー記録方法において、異なる単色のカラーリボンを有する複数の記録部を、副走査方向の平行方向に並べて配するとともに、各記録部相互間の間隔を設定し、記録時に、ストライプを記録する各列に対して全ての記録部により順次記録を行うことを特徴とするカラー記録方法。
【請求項２】
前記複数の記録部は、ｎストライプ（ｎは１以上の整数）分の間隔を空けて配列させることを特徴とする請求項１記載のカラー記録方法。
【請求項３】
前記複数の記録部は、相隣る記録部を主走査方向の平行方向にオフセットさせ、ストライプ間における隙間を空けることなく配することを特徴とする請求項１記載のカラー記録方法。
【請求項４】
前記複数の記録部の記録開始位置及び記録終了位置が一致するように、各記録部の記録開始タイミング及び記録終了タイミングを制御することを特徴とする請求項１，２又は３記載のカラー記録方法。
【請求項５】
前記記録ヘッドは、多数の記録素子を配列させたシリアル形記録ヘッドを使用し、全記録素子における一部の範囲を選択して使用することを特徴とする請求項１記載のカラー記録方法。
【請求項６】
少なくとも原稿のサイズを拡大して記録するポスタープリンタに適用することを特徴とする請求項１記載のカラー記録方法。
【発明の詳細な説明】
【０００１】
【発明の属する技術分野】
本発明は、原稿のサイズを拡大して記録するポスタープリンタ等に用いて好適なカラー記録方法に関する。
【０００２】
【従来の技術】
従来、原稿のサイズを拡大して記録するポスタープリンタ（拡大複写機）は、特開２０００−３４３７７９号公報で知られている。
【０００３】
同公報で開示される拡大複写機は、シリアル型ラインプリンタとして構成され、一定間隔おきに配した三個の記録ヘッドを主走査方向（記録用紙の幅方向）へ同時に移動させることにより、記録用紙に対して三分割された三つのストライプ区間が相互に繋がった１ストライプ分の記録を行うとともに、記録用紙を主走査方向に対して直角方向（副走査方向）に間欠移送することにより、順次１ストライプずつ記録を行う基本機能を備えている。
【０００４】
【発明が解決しようとする課題】
ところで、上述した従来の拡大複写機では、黒リボンの代わりにカラーリボンを装填すれば、カラー記録を行うことができる。しかし、この場合、カラーリボンには、イエロー，マゼンタ，シアンの各色部分をそれぞれ一定長さずつ順次繰り返して繋げた混合リボンを使用する必要があるため、次のような不具合を生じる問題があった。
【０００５】
第一に、三つのストライプ区間が繋がって１ストライプが構成されるとともに、各ストライプ区間がカラーリボンの各色部分によって三回走査されるため、ストライプ区間相互間の継目が目立ちやすくなるとともに、各記録ヘッド間の抵抗値のバラつきにより、主走査方向における各ストライプ区間毎の濃度むらが発生し、高い記録品質を確保できない。
【０００６】
第二に、カラーリボンは、異なる複数の色部分をそれぞれ順次繰り返す構成となるため、各色部分の頭出時に、使用しない色部分が存在してもそのまま巻取られてしまう無駄な部分が発生し、経済性及び省資源性に劣る。
【０００７】
第三に、記録サイズは、各記録ヘッドの位置によって決まるため、標準の記録サイズに対して拡大縮小を行う場合、制御方法等によりある程度は実現できるものの、制御が複雑化し、かつ拡大縮小の範囲も制限されてしまう。また、各記録ヘッドの取付に際して、高度の直列性を確保する必要があるなど、各記録ヘッドの取付（調整）が大変となる。
【０００８】
本発明は、このような従来の技術に存在する課題を解決したものであり、高い記録品質を確保でき、また、経済性及び省資源性を高めることができるとともに、記録サイズの拡大縮小を容易かつ高い自由度で行うことができ、しかも、各記録ヘッドの取付（調整）を容易に行うことができるカラー記録方法の提供を目的とする。
【０００９】
【課題を解決するための手段及び実施の形態】
本発明に係るカラー記録方法は、記録用紙Ｐを副走査方向Ｙへ間欠移送するとともに、カラーリボン２ｃ，２ｍ，２ｙ及び記録ヘッド３ｃ，３ｍ，３ｙを有する記録部Ｃｃ，Ｃｍ，Ｃｙを主走査方向Ｘへ移動させることにより、順次ストライプＳ…の記録を行うに際し、異なる単色のカラーリボン２ｃ，２ｍ，２ｙを有する複数の記録部Ｃｃ，Ｃｍ，Ｃｙを、副走査方向Ｙの平行方向に並べて配するとともに、各記録部Ｃｃ，Ｃｍ，Ｃｙ相互間の間隔Ｆｓ…を設定し、記録時に、ストライプＳ…を記録する各列Ｌ１，Ｌ２…に対して全ての記録部Ｃｃ，Ｃｍ，Ｃｙにより順次記録を行うようにしたことを特徴とする。
【００１０】
この場合、好適な実施の態様により、複数の記録部Ｃｃ，Ｃｍ，Ｃｙは、ｎストライプ（ｎは１以上の整数）Ｓ分の間隔Ｆｓを空けて配列させることができるとともに、相隣る記録部Ｃｃ，Ｃｍ，Ｃｙを主走査方向Ｘの平行方向にオフセットさせ、ストライプＳ…間における隙間を空けることなく配することもできる。また、複数の記録部Ｃｃ，Ｃｍ，Ｃｙの記録開始位置Ａｓ及び記録終了位置Ａｅが一致するように、各記録部Ｃｃ，Ｃｍ，Ｃｙの記録開始タイミング及び記録終了タイミングを制御することができるとともに、記録ヘッド３ｃ，３ｍ，３ｙは、多数の記録素子ｅ…を配列させたシリアル形記録ヘッドを使用し、全記録素子ｅ…における一部の範囲Ｚｕ（Ｚｕｓ）を選択して使用することができる。なお、本発明に係るカラー記録方法は、少なくとも原稿のサイズを拡大して記録するポスタープリンタ１に適用して最適である。
【００１１】
【実施例】
次に、本発明に係る好適な実施例を挙げ、図面に基づき詳細に説明する。
【００１２】
まず、本実施例に係るカラー記録方法を実施できるポスタープリンタ１の構成について、図１〜図４を参照して説明する。
【００１３】
ポスタープリンタ１は、例えば、Ａ４サイズ等の原稿をＡ１，Ａ０等の大型サイズに拡大して記録するものであり、大型のカラーポスターを容易に作成することができる。
【００１４】
ポスタープリンタ１は、図３及び図４に示すように、キャビネット１１を備え、このキャビネット１１の上面には、後端のヒンジ部により前側が開閉する第一カバー１２と第二カバー１３を付設する。この場合、第一カバー１２の上面には、Ａ４サイズ等の原稿を読取るカラースキャナ１４を配設する。一方、第一カバー１２の内方に位置するキャビネット１１の内部後側には、ロール紙Ｐｒを装填する装填部１１ｒを設ける。これにより、装填したロール紙Ｐｒから繰り出される記録用紙Ｐは、図４に示すように、前方に導かれ、キャビネット１１の前端に設けた排出口１１ｏから外部前方に排出される。また、キャビネット１１の内部には、記録用紙Ｐの下方に位置するガイド面１５を設け、このガイド面１５の前側に複数の前フィードローラ１６…を配設するとともに、ガイド面１５の後側に複数の後フィードローラ１７…を配設する。なお、１８…は、第一カバー１２の内面に配設し、第一カバー１２を閉じた際に、各前フィードローラ１６…にそれぞれ圧接する複数のピンチローラを示す。
【００１５】
他方、前フィードローラ１６…とロール紙Ｐｒの間には、記録系２０を配設する。記録系２０は、前フィードローラ１６…と後フィードローラ１７…の間におけるガイド面１５上に配した三本のシート状のプラテンゴム２１ｃ，２１ｍ，２１ｙと、このプラテンゴム２１ｃ…の上方に配した記録機構２２からなる。この記録機構２２は、ガイドシャフト２３によりガイドされる記録ユニット２４を備え、この記録ユニット２４は、ヘッド移動モータ６８（図２参照）を内蔵する駆動機構により主走査方向Ｘの平行方向に反復移動せしめられる。
【００１６】
また、この記録ユニット２４には、カートリッジホルダ２５を備える。カートリッジホルダ２５は、記録ユニット２４に一体となって主走査方向Ｘの平行方向に移動せしめられるも、ホームポジション（図３の位置）では、前後方向（副走査方向Ｙの平行方向）にスライド変位させることができる。そして、このカートリッジホルダ２５には、リボンカートリッジ２６ｃ，２６ｍ，２６ｙを装填する。この場合、リボンカートリッジ２６ｃは、図１（ａ）に示すように、巻取リール２７と供給リール２８を備え、供給リール２８に巻回されたカラーリボン（インクリボン）２ｃが巻取リール２７に巻取られる。他のリボンカートリッジ２６ｍ，２６ｙも、基本構造はリボンカートリッジ２６ｃと同じであり、リボンカートリッジ２６ｍにはカラーリボン２ｍを収容するとともに、リボンカートリッジ２６ｙにはカラーリボン２ｙを収容する。なお、カラーリボン２ｃはシアン、カラーリボン２ｍはマゼンタ、カラーリボン２ｙはイエローの単色となる。
【００１７】
さらに、カートリッジホルダ２５に装填されたリボンカートリッジ２６ｃ，２６ｍ，２６ｙの各カラーリボン２ｃ，２ｍ，２ｙの上方には、図１（ａ）に示すように、対応する記録ヘッド３ｃ，３ｍ，３ｙが配される。記録ヘッド３ｃ（３ｍ，３ｙも同じ）は、図６に示すように、多数の記録素子ｅ…を直線上に配列させたシリアル形サーマルヘッドを使用する。よって、カラーリボン２ｃと記録ヘッド３ｃは記録部Ｃｃを構成し、カラーリボン２ｍと記録ヘッド３ｍは記録部Ｃｍを構成し、カラーリボン２ｙと記録ヘッド３ｙは記録部Ｃｙを構成する。各記録部Ｃｃ，Ｃｍ，Ｃｙは、副走査方向Ｙの平行方向に順次並べて配し、各記録部Ｃｃ，Ｃｍ，Ｃｙの相互間は、図１（ａ）に示すように、１ストライプＳ分の間隔Ｆｓを空けて配列（位置決め）させるとともに、各記録部Ｃｃ，Ｃｍ，Ｃｙは、対応するプラテンゴム２１ｃ，２１ｍ，２１ｙの真上に位置させる。
【００１８】
また、記録ユニット２４には記録部制御機構２９を備える。この記録部制御機構２９は、各記録ヘッド３ｃ，３ｍ，３ｙの昇降制御を選択的に行うとともに、各リボンカートリッジ２６ｃ，２６ｍ，２６ｙにおける巻取リール２７…の駆動制御を選択的に行う。したがって、例えば、記録ヘッド３ｃのみをセット位置へ下降させ、かつリボンカートリッジ２６ｃの巻取リール２７のみを回転駆動するとともに、他の記録ヘッド３ｍ，３ｙをリリース位置へ上昇させ、かつリボンカートリッジ２６ｍ，２６ｙの巻取リール２７の回転駆動を解除する制御、即ち、記録部Ｃｃのみを記録モードにし、他の記録部Ｃｍ，Ｃｙを記録解除モードに制御すれば、カラーリボン２ｃのみによる記録を行うことができる。なお、３０は、左右方向（主走査方向Ｘ）へスライドさせることにより、排出口１１ｏから排出される記録用紙Ｐをカッティングするカッターである。
【００１９】
他方、図２は、ポスタープリンタ１における信号処理系Ｍのブロック系統を示す。信号処理系Ｍは、読取処理系５１，操作処理系５２，制御処理系５３及び記録処理系５４を備える。
【００２０】
読取処理系５１は、前述したカラースキャナ１４で読取った画像信号に対してＡ／Ｄ変換等の必要なデータ処理を行う原稿読取部６１を備え、この原稿読取部６１により得られた画像データは制御処理系５３に付与される。また、操作処理系５２は、第一カバー１２の上面に配したテンキーや各種ファンクションキーを含むキーボード６２を備え、このキーボード６２は制御処理系５３に接続される。さらに、制御処理系５３は、ＣＰＵ等を含む主制御部６３，制御プログラムを格納するＲＯＭ６４，画像データをはじめ各種データを記憶するＲＡＭ６５等を備える。この制御処理系５３は、ポスタープリンタ１の全体の制御を司るとともに、各種演算処理を実行する。
【００２１】
一方、記録処理系５４は、画像データ（記録データ）を一時記憶するＲＡＭ等を含む記録処理部６６を備える。これにより、記録する画像データは記録処理部６６を介して各記録ヘッド３ｃ…に付与される。また、記録処理系５４には、ドライバ６７、ヘッド移動モータ６８、フィードローラ駆動モータ６９を備える。このヘッド移動モータ６８により、記録ユニット２４を主走査方向Ｘの平行方向へ反復移動（走査）させることができる。さらに、フィードローラ駆動モータ６９により、前フィードローラ１６…及び後フィードローラ１７…を回転駆動し　記録用紙Ｐを主走査方向Ｘに対して直角方向となる副走査方向Ｙに間欠的に移送させることができる。なお、各モータ６８、６９は主制御部６３からの制御指令に基づき、ドライバ６７により駆動制御される。
【００２２】
次に、本実施例に係るカラー記録方法を含むポスタープリンタ１の動作（機能）について、各図を参照して説明する。
【００２３】
まず、ストライプＳの記録位置の調整方法について説明する。各記録ヘッド３ｃ，３ｍ，３ｙは、図６に示すように、多数の記録素子ｅ…を配列させたシリアル形サーマルヘッドを使用するとともに、全記録素子ｅ…における一部の範囲Ｚｕを選択して使用する。したがって、この範囲Ｚｕを任意にオフセットさせることにより、副走査方向Ｙの平行方向に対するストライプＳの位置調整を行うことができる。例えば、図６において、記録ヘッド３ｃの基準となる範囲Ｚｕに対して、複数ドット分だけ一方側へオフセットさせた範囲Ｚｕｓを設定すれば、記録ヘッド３ｃにより記録されるストライプＳを、副走査方向Ｙの平行方向へ複数ドット分だけずらすことができる。このように、各記録ヘッド３ｃ，３ｍ，３ｙによるストライプＳ…の記録位置をそれぞれ副走査方向Ｙの平行方向に微調整することができる。
【００２４】
一方、各記録ヘッド３ｃ，３ｍ，３ｙは、図７に示すように、主走査方向Ｘの平行方向に相対位置がバラつくため、各記録ヘッド３ｃ，３ｍ，３ｙの記録開始タイミング及び記録終了タイミングを変更（制御）して、各記録部Ｃｃ，Ｃｍ，Ｃｙの記録開始位置Ａｓ、さらには記録終了位置Ａｅ（図１（ｂ）参照）を一致させることができる。例えば、図７において、記録ヘッド３ｙが記録ヘッド３ｃに対して距離Ｆａだけ遅れる位置にあるとともに、記録ヘッド３ｍが記録ヘッド３ｃに対して距離Ｆａ＋Ｆｂだけ遅れる位置にあるものとする。この場合、記録ヘッド３ｙの記録開始タイミングを、記録ヘッド３ｃに対して距離Ｆａ分だけ遅らせるとともに、記録ヘッド３ｍの記録開始タイミングを、記録ヘッド３ｃに対して距離Ｆａ＋Ｆｂ分だけ遅らせる制御を行えば、各記録ヘッド３ｃ，３ｍ，３ｙの記録開始位置Ａｓを一致させることができる。同様に、記録ヘッド３ｙの記録終了タイミングを、記録ヘッド３ｃに対して距離Ｆａ分だけ遅らせるとともに、記録ヘッド３ｍの記録開始タイミングを、記録ヘッド３ｃに対して距離Ｆａ＋Ｆｂ分だけ遅らせる制御を行えば、各記録ヘッド３ｃ，３ｍ，３ｙの記録終了位置Ａｅを一致させることができる。
【００２５】
他方、リボンカートリッジ２６ｃ…の装填は次のように行う。非記録時における記録ユニット２４は、図３に示すホームポジションにあるため、第二カバー１３を開き、カートリッジホルダ２５を手前にスライドさせて引き出す（図３に仮想線で示すカートリッジホルダ２５ｓ参照）。これにより、各記録ヘッド３ｃ…及び記録部制御機構２９に関連する機構がカートリッジホルダ２５から離脱するため、各リボンカートリッジ２６ｃ，２６ｍ，２６ｙを、上からカートリッジホルダ２５ｓ（２５）の中に装填できる（図３に仮想線で示すリボンカートリッジ２６ｃｓ参照）。
【００２６】
そして、全てのリボンカートリッジ２６ｃ…を装填したならカートリッジホルダ２５をスライドさせて押し込み、使用位置にセットする。これにより、各インクリボン２ｃ，２ｍ，２ｙの真上に、対応する記録ヘッド３ｃ，３ｍ，３ｙが位置するとともに、記録部制御機構２９に関連する機構が所定位置にセットされる。この位置関係が図１（ａ）のようになる。なお、各リボンカートリッジ２６ｃ…を交換する際にも同様の手順で行うことができ、第二カバー１３を開いた後、カートリッジホルダ２５を手前にスライドさせて引き出せば、リボンカートリッジ２６ｃ…をそのまま上方へ引き抜いて離脱することができる。
【００２７】
また、ロール紙Ｐｒの装填は次のように行う。まず、第一カバー１２を開き、ロール紙Ｐｒをキャビネット１１の内部後側に設けた装填部１１ｒに装填する。そして、ロール紙Ｐｒから繰り出される記録用紙Ｐを、図４に示すように、前方へ導き、キャビネット１１の前端に設けた排出口１１ｏから外部へ導出させる。この後、第一カバー１２を閉じればよい。以上により、主な調整及びセッティングを行うことができる。
【００２８】
次に、記録時の処理手順について説明する。まず、原稿をカラースキャナ１４にセットし、キーボード６２における読取開始キーを押す。これにより、原稿の読取が行なわれる。読取が終了すれば、本実施例に係るカラー記録方法に従って記録処理が行われる。なお、基本的な記録動作は、フィードローラ駆動モータ６９を制御し、前フィードローラ１６…及び後フィードローラ１７…を回転駆動することにより、記録用紙Ｐを副走査方向Ｙへ間欠移送する。また、間欠移送毎に、ヘッド移動モータ６８を制御し、記録ユニット２４を主走査方向Ｘの平行方向へ反復移動（走査）させることにより、順次ストライプＳ…の記録を行うことができる。
【００２９】
以下、具体的な記録処理手順について、各図を参照しつつ図８に示すフローチャートに従って説明する。
【００３０】
まず、記録ユニット２４を、図３に示すホームポジションから反対側（図３の右端位置）となる記録開始位置まで移動させる。そして、この記録開始位置からホームポジション側へ移動（走査）させ、記録終了位置までストライプＳの記録を行う。この際、最初は、イエローの記録部Ｃｙのみが記録モードにセットされ、他のマゼンタ及びシアンの記録部Ｃｍ，Ｃｃは記録解除モードにセットされる。したがって、イエローのみによる１列目Ｌ１の記録が行われる（ステップＳ１）。この状態を図２（ａ）に実線で示す。次いで、記録用紙Ｐを１ストライプＳ分だけ副走査方向Ｙへ移送させて停止させる（ステップＳ２）。この状態を図２（ａ）に仮想線で示す。そして、記録ユニット２４を同様に移動（走査）させる。これにより、イエローによる２列目Ｌ２の記録が行われる（ステップＳ３）。
【００３１】
次いで、記録用紙Ｐを１ストライプＳ分だけ副走査方向Ｙへ移送させて停止させる（ステップＳ４）。そして、記録ユニット２４を同様に移動（走査）させる。この際、マゼンタの記録部Ｃｍは記録モードにセットされる。これにより、イエローによる３列目Ｌ３の記録が行われるとともに、マゼンタによる１列目Ｌ１の記録が行われる（ステップＳ５）。次いで、記録用紙Ｐを１ストライプＳ分だけ副走査方向Ｙへ移送させて停止させる（ステップＳ６）。そして、記録ユニット２４を同様に移動（走査）させる。これにより、イエローによる４列目Ｌ４の記録が行われるとともに、マゼンタによる２列目Ｌ２の記録が行われる（ステップＳ７）。
【００３２】
次いで、記録用紙Ｐを１ストライプＳ分だけ副走査方向Ｙへ移送させて停止させる（ステップＳ８）。そして、記録ユニット２４を同様に移動（走査）させる。この際、シアンの記録部Ｃｃは記録モードにセットされる。これにより、イエローによる５列目Ｌ５の記録が行われるとともに、マゼンタによる３列目Ｌ３の記録が行われ、さらに、シアンによる１列目Ｌ１の記録が行われる（ステップＳ９）。以上の記録処理により、１列目Ｌ１に対しては、全ての記録部Ｃｙ，Ｃｍ，Ｃｃによって順次記録が行われることになり、１列目Ｌ１に対する記録処理が終了する。この状態を図２（ｂ）に示す。
【００３３】
さらに、記録用紙Ｐを１ストライプＳ分だけ副走査方向Ｙへ移送させて停止させる（ステップＳ１０）。そして、記録ユニット２４を同様に移動（走査）させる。これにより、イエローによるｎ列目の記録が行われるとともに、マゼンタによる（ｎ−２）列目の記録が行われ、さらに、シアンによる（ｎ−４）列目の記録が行われる（ステップＳ１１）。以後、同様の記録処理が繰り返され、イエローの記録部Ｃｙによる最終列の記録が終了したなら、記録開始時と逆の記録処理、即ち、次の二回の主走査では、イエローの記録部Ｃｙが記録解除モードにセットされ、さらに、次の二回の主走査では、マゼンタの記録部Ｃｍが記録解除モードにセットされる。そして、シアンの記録部Ｃｃのみによる二回の主走査が終了すれば、全ての記録処理が終了する（ステップＳ１２，Ｓ１３）。
【００３４】
このように、本実施例に係るカラー記録方法によれば、従来のような分割された各ストライプ区間が相互に繋がって１ストライプを構成することがないため、各ストライプＳ…内の継目が無くなるとともに、各記録ヘッド３ｃ…間の抵抗値のバラつきによる濃度むらも排除され、高い記録品質が確保される。しかも、標準の記録サイズに対する拡大縮小を容易かつ高い自由度で行うことが可能になるとともに、各記録ヘッド３ｃ…を取付ける際における高度の直列性を確保する必要がないため、各記録ヘッド３ｃ…の取付（調整）も容易になる。また、異なる単色のカラーリボン２ｃ，２ｍ，２ｙを用いるため、無駄なカラーリボンが発生する不具合が回避され、経済性及び省資源性が高められる。
【００３５】
さらに、複数の記録部Ｃｃ，Ｃｍ，Ｃｙは、１ストライプＳ分の間隔Ｆｓを空けて配列させるため、記録部Ｃｃ，Ｃｍ，Ｃｙを同一線上に並べて配することができ、記録部Ｃｃ，Ｃｍ，Ｃｙの形状設計及び配置設計等における自由度を高めることができるとともに、各記録部Ｃｃ，Ｃｍ，Ｃｙにおける本来の記録開始位置及び記録終了位置を一致させることができる。また、各記録部Ｃｃ，Ｃｍ，Ｃｙは、記録開始タイミング及び記録終了タイミングの設定（制御）により、記録開始位置、さらには記録終了位置を一致させることができるとともに、これらの設定を容易かつ正確に行うことができる。しかも、記録ヘッド３ｃ，３ｍ，３ｙは、多数の記録素子ｅ…を配列させたシリアル形記録ヘッドを使用し、全記録素子ｅ…における一部の範囲Ｚｕ（Ｚｕｓ）を選択して使用するため、各ストライプＳ…間における隙間及び重複を排除し、更なる記録品質の向上に寄与できるとともに、この設定を容易かつ正確に行うことができる。
【００３６】
以上、実施例について詳細に説明したが、本発明はこのような実施例に限定されるものではなく、細部の構成，手法等において、本発明の要旨を逸脱しない範囲で任意に変更，追加，削除することができる。
【００３７】
例えば、実施例は、各記録部Ｃｃ，Ｃｍ，Ｃｙを、１ストライプＳ分の間隔Ｆｓを空けて配列させた場合を示したが、一般的には、ｎストライプ（ｎは１以上の整数）Ｓ分の間隔を空けて配列させることができる。また、各記録部Ｃｃ，Ｃｍ，Ｃｙは、図５に示すように、相隣る記録部Ｃｃ，Ｃｍ，Ｃｙを主走査方向Ｘの平行方向にオフセットさせ、各ストライプＳ…間に隙間を空けることなく配することもできる。即ち、真ん中の記録部Ｃｍをその両側の記録部Ｃｃ及びＣｙに対して主走査方向Ｘへオフセットさせ、三つの記録ヘッド３ｃ，３ｍ，３ｙの副走査方向の平行方向の間隔を狭めることにより、各ストライプＳ…間に隙間が生じないように設定することができる。この場合、記録部Ｃｃ及びＣｙは、記録部Ｃｍに対して記録開始タイミング及び記録終了タイミングを遅らせる必要がある。さらに、実施例は、原稿のサイズを拡大して記録するポスタープリンタ１に適用した場合を示したが、その他、一般的なカラープリンタやカラー複写機等の任意のプリンタにも同様に適用できる。なお、拡大縮小機能を有するか否かは任意である。他方、いずれかの記録部Ｃｃ…に黒インクリボンを使用し、この黒インクリボンのみで記録を行えば、モノクロ印字を行うことができる。
【００３８】
【発明の効果】
このように、本発明に係るカラー記録方法は、異なる単色のカラーリボンを有する複数の記録部を、副走査方向の平行方向に並べて配するとともに、各記録部相互間の間隔を設定し、記録時に、ストライプを記録する各列に対して全ての記録部により順次記録を行うようにしたため、次のような顕著な効果を奏する。
【００３９】
（１）　従来のような分割された各ストライプ区間が相互に繋がって１ストライプを構成することがないため、各ストライプ内の継目が無くなるとともに、各記録ヘッド間の抵抗値のバラつきによる濃度むらが排除され、高い記録品質を確保することができる。したがって、原稿のサイズを拡大して記録するポスタープリンタ等に用いて最適となる。
【００４０】
（２）　標準の記録サイズに対する拡大縮小を、容易かつ高い自由度で行うことができるとともに、各記録ヘッドを取付ける際における高度の直列性を確保する必要がないため、各記録ヘッドの取付（調整）を容易に行うことができる。
【００４１】
（３）　異なる単色のカラーリボンを用いるため、無駄なカラーリボンが発生する不具合を回避し、経済性及び省資源性を高めることができる。
【００４２】
（４）　好適な実施の態様により、複数の記録部を、ｎストライプ分の間隔を空けて配列させれば、記録部を同一線上に並べて配することができ、記録部の形状設計及び配置設計等における自由度を高めることができるとともに、各記録部における本来の記録開始位置及び記録終了位置を一致させることができる。
【００４３】
（５）　好適な実施の態様により、各記録部の記録開始タイミング及び記録終了タイミングを設定（制御）すれば、各記録部の記録開始位置、さらには記録終了位置を一致させることができるとともに、これらの設定を容易かつ正確に行うことができる。
【００４４】
（６）　好適な実施の態様により、記録ヘッドに、多数の記録素を配列させたシリアル形記録ヘッドを使用し、全記録素子における一部の範囲を選択して使用すれば、各ストライプ間における隙間及び重複を排除し、更に記録品質の向上に寄与できるとともに、この設定を容易かつ正確に行うことができる。
【図面の簡単な説明】
【図１】本発明の好適な実施例に係るカラー記録方法の記録処理を説明するための模式図、
【図２】同カラー記録方法を実施するポスタープリンタにおける信号処理系のブロック系統図、
【図３】同ポスタープリンタの第一カバーを開けた状態の外観斜視図、
【図４】同ポスタープリンタを側面から見た原理構成図、
【図５】本実施例の変更例に係る記録部のレイアウト図、
【図６】同カラー記録方法におけるストライプの記録位置の調整方法説明図、
【図７】同カラー記録方法におけるストライプの記録位置の他の調整方法説明図、
【図８】同カラー記録方法による記録処理手順を示すフローチャート、
【符号の説明】
１　　　ポスタープリンタ
２ｃ…　カラーリボン
３ｃ…　記録ヘッド
Ｐ　　　記録用紙
Ｘ　　　主走査方向
Ｙ　　　副走査方向
Ｃｃ…　記録部
Ｓ　　　ストライプ
Ｆｓ　　各記録部相互間の間隔
Ｌ１…　ストライプを記録する列
Ａｓ　　記録開始位置
Ａｅ　　記録終了位置
ｅ…　　記録素子
Ｚｕ　　全記録素子における一部の範囲
【図１】
2004050494.tif 000003
【図２】
2004050494.tif 000004
【図３】
2004050494.tif 000005
【図４】
2004050494.tif 000006
【図５】
2004050494.tif 000007
【図６】
2004050494.tif 000008
【図７】
2004050494.tif 000009
【図８】
2004050494.tif 000010